(57)【要約】  第一位相差フィルムと、直線偏光子と、第二位相差フィルムとを、この順に備え、前記直線偏光子の偏光透過軸と前記第一位相差フィルムの遅相軸とが、非平行であり、前記直線偏光子の偏光透過軸と前記第二位相差フィルムの遅相軸とが、非平行である、真正性判定用ビュワー。
2019059067.tif 000002
【特許請求の範囲】
【請求項１】
第一位相差フィルムと、直線偏光子と、第二位相差フィルムとを、この順に備え、
前記直線偏光子の偏光透過軸と前記第一位相差フィルムの遅相軸とが、非平行であり、
前記直線偏光子の偏光透過軸と前記第二位相差フィルムの遅相軸とが、非平行である、真正性判定用ビュワー。
【請求項２】
第一位相差フィルムの遅相軸と第二位相差フィルムの遅相軸とがなす角度が、０°±２°である、請求項１に記載の真正性判定用ビュワー。
【請求項３】
前記直線偏光子の偏光透過軸と前記第一位相差フィルムの遅相軸とがなす角度が、４５°±２°であり、
前記直線偏光子の偏光透過軸と前記第二位相差フィルムの遅相軸とがなす角度が、４５°±２°である、請求項１又は２に記載の真正性判定用ビュワー。
【請求項４】
前記第一位相差フィルムの、測定波長５５０ｎｍにおける面内レターデーションが、９０ｎｍ以上１５０ｎｍ以下であり、
前記第二位相差フィルムの、測定波長５５０ｎｍにおける面内レターデーションが、９０ｎｍ以上１５０ｎｍ以下である、請求項１〜３のいずれか一項に記載の真正性判定用ビュワー。
【請求項５】
前記第一位相差フィルム及び第二位相差フィルムが、逆波長分散性を有する、請求項１〜４のいずれか一項に記載の真正性判定用ビュワー。
【請求項６】
前記第一位相差フィルム、第三位相差フィルム、前記直線偏光子、第四位相差フィルム、及び前記第二位相差フィルムを、この順に備える、請求項１〜５のいずれか一項に記載の真正性判定用ビュワー。
【請求項７】
前記第一位相差フィルム及び前記第二位相差フィルムが、１／４波長板として機能でき、
前記第三位相差フィルム及び前記第四位相差フィルムが、１／２波長板として機能できる、請求項６に記載の真正性判定用ビュワー。
【請求項８】
前記第三位相差フィルムの、測定波長５５０ｎｍにおける面内レターデーションが、２４０ｎｍ以上３００ｎｍ以下であり、
前記第四位相差フィルムの、測定波長５５０ｎｍにおける面内レターデーションが、２４０ｎｍ以上３００ｎｍ以下である、請求項６又は７に記載の真正判定用ビュワー。
【発明の詳細な説明】
【技術分野】
【０００１】
本発明は、真正性判定用ビュワーに関する。
【背景技術】
【０００２】
真正であることが求められる物品の表面に、物品の偽造防止のために、容易に複製できないマーキングを形成することがある。このようなマーキングのための材料の一つとして、コレステリック規則性を有する樹脂（以下、適宜「コレステリック樹脂」ということがある。）が知られている。【０００３】
コレステリック樹脂は、通常、円偏光分離機能を有する。この「円偏光分離機能」とは、右円偏光及び左円偏光のうちの一方の円偏光を透過させ、他方の円偏光の一部又は全部を反射させる機能を意味する。コレステリック樹脂による反射は、円偏光を、そのキラリティを維持したまま反射する。また、このように円偏光分離機能が発揮される波長範囲を、「選択反射帯域」ということがある。【０００４】
よって、コレステリック樹脂を用いて形成されたマーキングは、右円偏光板によって観察した場合と、左円偏光板によって観察した場合とで、異なる像が現れる。そこで、前記の像の違いにより、真正性の判定を行うことができる（特許文献１参照）。
【先行技術文献】
【特許文献】
【０００５】
【特許文献１】特許第３８２１９４０号公報
【発明の概要】
【発明が解決しようとする課題】
【０００６】
前記のような真正性の判定のための観察は、従来、右円偏光板及び左円偏光板を備えたビュワーを用いて行われていた。具体的には、右円偏光板及び左円偏光板を、メガネのレンズのように別々に備えたビュワーを用いることが一般的であった。【０００７】
ところが、右円偏光板及び左円偏光板を別々に備えるビュワーは、円偏光板２枚分の面積が要求されるので、サイズが大きく、取り扱い性に改善の余地があった。【０００８】
本発明は、前記の課題に鑑みて創案されたもので、サイズの小型化が可能な真正性判定用ビュワーを提供することを目的とする。
【課題を解決するための手段】
【０００９】
本発明者は、前記の改題を解決するべく鋭意検討した。その結果、本発明者は、直線偏光子の表裏に、直線偏光子の偏光透過軸と位相差フィルムの遅相軸とが非平行となるように位相差フィルムを設けることにより、円偏光板１枚分の面積のビュワーを実現できることを見い出し、本発明を完成させた。
すなわち、本発明は、下記のものを含む。【００１０】
〔１〕  第一位相差フィルムと、直線偏光子と、第二位相差フィルムとを、この順に備え、
前記直線偏光子の偏光透過軸と前記第一位相差フィルムの遅相軸とが、非平行であり、
前記直線偏光子の偏光透過軸と前記第二位相差フィルムの遅相軸とが、非平行である、真正性判定用ビュワー。
〔２〕  第一位相差フィルムの遅相軸と第二位相差フィルムの遅相軸とがなす角度が、０°±２°である、〔１〕に記載の真正性判定用ビュワー。
〔３〕  前記直線偏光子の偏光透過軸と前記第一位相差フィルムの遅相軸とがなす角度が、４５°±２°であり、
前記直線偏光子の偏光透過軸と前記第二位相差フィルムの遅相軸とがなす角度が、４５°±２°である、〔１〕又は〔２〕に記載の真正性判定用ビュワー。
〔４〕  前記第一位相差フィルムの、測定波長５５０ｎｍにおける面内レターデーションが、９０ｎｍ以上１５０ｎｍ以下であり、
前記第二位相差フィルムの、測定波長５５０ｎｍにおける面内レターデーションが、９０ｎｍ以上１５０ｎｍ以下である、〔１〕〜〔３〕のいずれか一項に記載の真正性判定用ビュワー。
〔５〕  前記第一位相差フィルム及び第二位相差フィルムが、逆波長分散性を有する、〔１〕〜〔４〕のいずれか一項に記載の真正性判定用ビュワー。
〔６〕  前記第一位相差フィルム、第三位相差フィルム、前記直線偏光子、第四位相差フィルム、及び前記第二位相差フィルムを、この順に備える、〔１〕〜〔５〕のいずれか一項に記載の真正性判定用ビュワー。
〔７〕  前記第一位相差フィルム及び前記第二位相差フィルムが、１／４波長板として機能でき、
前記第三位相差フィルム及び前記第四位相差フィルムが、１／２波長板として機能できる、〔６〕に記載の真正性判定用ビュワー。
〔８〕  前記第三位相差フィルムの、測定波長５５０ｎｍにおける面内レターデーションが、２４０ｎｍ以上３００ｎｍ以下であり、
前記第四位相差フィルムの、測定波長５５０ｎｍにおける面内レターデーションが、２４０ｎｍ以上３００ｎｍ以下である、〔６〕又は〔７〕に記載の真正判定用ビュワー。
【発明の効果】
【００１１】
本発明の真正性判定用ビュワーは、サイズの小型化が可能である。
【図面の簡単な説明】
【００１２】
【図１】図１は、本発明の第一実施形態に係る真正性判定用ビュワーを模式的に示す断面図である。
【図２】図２は、本発明の第一実施形態に係る真正性判定用ビュワーを分解して模式的に示す分解斜視図である。
【図３】図３は、ある対象物にコレステリック樹脂を用いてマーキングを形成して得た物品の例を模式的に示す断面図である。
【図４】図４は、本発明の第二実施形態に係る真正性判定用ビュワーを模式的に示す断面図である。
【図５】図５は、本発明の第二実施形態に係る真正性判定用ビュワーを分解して模式的に示す分解斜視図である。
【発明を実施するための形態】
【００１３】
以下、実施形態及び例示物を示して本発明について詳細に説明する。ただし、本発明は、以下に説明する実施形態及び例示物に限定されるものでは無く、本発明の請求の範囲及びその均等の範囲を逸脱しない範囲において、任意に変更して実施できる。
【００１４】
以下の説明において、フィルムの遅相軸とは、別に断らない限り、当該フィルムの面内における遅相軸を表す。
【００１５】
以下の説明において、複数のフィルム又は偏光子を備える部材における各フィルム又は偏光子の光学軸（偏光吸収軸、偏光透過軸、遅相軸等）がなす角度は、別に断らない限り、厚み方向から見たときの角度を表す。また、ここでいう厚み方向は、これらフィルム又は偏光子の厚み方向であり、通常、ビュワーの厚み方向に一致する。
【００１６】
以下の説明において、「偏光板」及び「波長板」とは、別に断らない限り、剛直な部材だけでなく、例えば樹脂製のフィルムのように可撓性を有する部材も含む。
【００１７】
以下の説明において、フィルムの面内レターデーションＲｅは、別に断らない限り、Ｒｅ＝（ｎｘ−ｎｙ）×ｄで表される値である。ここで、ｎｘは、フィルムの厚み方向に垂直な方向（面内方向）であって最大の屈折率を与える方向の屈折率を表す。ｎｙは、フィルムの前記面内方向であってｎｘの方向に直交する方向の屈折率を表す。ｄは、フィルムの厚みを表す。
【００１８】
［１．第一実施形態］
図１は、本発明の第一実施形態に係る真正性判定用ビュワー１００を模式的に示す断面図である。また、図２は、本発明の第一実施形態に係る真正性判定用ビュワー１００を分解して模式的に示す分解斜視図である。図２において、第一位相差フィルム１１０及び第二位相差フィルム１３０には、直線偏光子１２０の偏光透過軸Ａ１２０に平行な方向を一点鎖線の矢印Ａ１０及びＡ２０で示す。
【００１９】
図１に示すように、本発明の第一実施形態としてのビュワー１００は、第一位相差フィルム１１０と、直線偏光子１２０と、第二位相差フィルム１３０とを、厚み方向においてこの順に備える。
【００２０】
図２に示すように、直線偏光子１２０は、偏光透過軸Ａ１２０を有し、偏光透過軸Ａ１２０と平行な振動方向を有する直線偏光を透過させ、偏光透過軸Ａ１２０と非平行な振動方向を有する直線偏光を遮ることができる。ここで、直線偏光の振動方向とは、直線偏光の電場の振動方向を意味する。
【００２１】
図１に示すように、第一位相差フィルム１１０は、直線偏光子１２０の一側に設けられた位相差フィルムである。図２に示すように、第一位相差フィルム１１０は、遅相軸Ａ１１０を有する。真正性の判定を可能にする観点から、第一位相差フィルム１１０の遅相軸Ａ１１０は、直線偏光子１２０の偏光透過軸Ａ１２０に非平行である。
【００２２】
第一位相差フィルム１１０の遅相軸Ａ１１０と直線偏光子１２０の偏光透過軸Ａ１２０とがなす角度θ１０は、好ましくは４５°±２°、より好ましくは４５°±１°、特に好ましくは４５°±０．５°である。これにより、ビュワー１００の表裏の向きを変えた観察においてみられる像の差を明確にし易いので、真正性の判定を容易に行うことができる。
【００２３】
第一位相差フィルム１１０は、位相差フィルムであるので、面内レターデーションを有する。第一位相差フィルム１１０の具体的な面内レターデーションは、真正性の判定に用いる光の波長において、ビュワー１００に進入する円偏光を真正性の判定が可能な直線偏光又は楕円偏光に変換できるように設定されることが好ましい。前記の「真正性の判定に用いる光の波長」とは、具体的には、ビュワー１００を用いて観察するマーキングに含まれるコレステリック樹脂の選択反射帯域の波長を表す。よって、第一位相差フィルム１１０の具体的な面内レターデーションは、マーキングに含まれるコレステリック樹脂の選択反射帯域において第一位相差フィルム１１０が１／４波長板として機能できるように設定されることが好ましい。
【００２４】
特に望ましい態様では、第一位相差フィルム１１０の面内レターデーションは、測定波長５５０ｎｍにおいて、好ましくは９０ｎｍ以上、より好ましくは９５ｎｍ以上、特に好ましくは１００ｎｍ以上であり、好ましくは１５０ｎｍ以下、より好ましくは１４５ｎｍ以下、特に好ましくは１４０ｎｍ以下である。測定波長５５０ｎｍにおいて前記範囲の面内レターデーションを有する位相差フィルムは、通常、可視波長領域において１／４波長板として機能できる。よって、このような第一位相差フィルム１１０を用いることにより、可視波長範囲において使用可能なビュワー１００を実現できる。
【００２５】
また、第一位相差フィルム１１０は、逆波長分散性を有することが好ましい。ここで、逆波長分散性とは、測定波長４５０ｎｍ及び５５０ｎｍにおける面内レターデーションＲｅ（４５０）及びＲｅ（５５０）が、下記式（１）を満たすことをいう。
Ｒｅ（４５０）＜Ｒｅ（５５０）    （１）
逆波長分散性を有する位相差フィルムは、広い波長範囲においてその光学的機能を発揮できる。よって、逆波長分散性を有する第一位相差フィルム１１０を用いることにより、広い波長範囲において使用可能なビュワー１００を実現できる。
【００２６】
図１に示すように、第二位相差フィルム１３０は、直線偏光子１２０の他側に設けられた位相差フィルムである。図２に示すように、第二位相差フィルム１３０は、遅相軸Ａ１３０を有する。第二位相差フィルム１３０の遅相軸Ａ１３０は、真正性の判定を可能にする観点から、直線偏光子１２０の偏光透過軸Ａ１２０に非平行である。
【００２７】
また、第二位相差フィルム１３０の遅相軸Ａ１３０は、第一位相差フィルム１１０の遅相軸Ａ１１０と実質的に平行であることが好ましい。具体的には、第一位相差フィルム１１０の遅相軸Ａ１１０と第二位相差フィルム１３０の遅相軸Ａ１３０とがなす角度（図示せず）が、好ましくは０°±２°、より好ましくは０°±１°、特に好ましくは０°±０．５°である。これにより、ビュワー１００の表裏の向きを変えた観察においてみられる像の差を明確にし易いので、ビュワー１００を用いた真正性の判定を容易に行うことができる。
【００２８】
さらに、第二位相差フィルム１３０の遅相軸Ａ１３０と直線偏光子１２０の偏光透過軸Ａ１２０とがなす角度θ２０は、第一位相差フィルム１１０の遅相軸Ａ１１０と直線偏光子１２０の偏光透過軸Ａ１２０とがなす角度θ１０の範囲として説明したのと同じ範囲にあることが好ましい。この際、角度θ１０と角度θ２０とは、異なっていてもよいが、同一であることが特に好ましい。これにより、ビュワー１００の表裏の向きを変えた観察においてみられる像の差を明確にし易いので、ビュワー１００を用いた真正性の判定を容易に行うことができる。
【００２９】
第二位相差フィルム１３０の面内レターデーションは、第一位相差フィルム１１０の面内レターデーションの範囲として説明したのと同じ範囲にあることが好ましい。この際、第一位相差フィルム１１０の面内レターデーションと第二位相差フィルム１３０の面内レターデーションとは、異なっていてもよいが、同一であることが特に好ましい。
さらに、広い波長範囲において使用可能なビュワー１００を実現する観点から、第二位相差フィルム１３０は、逆波長分散性を有することが好ましい。
【００３０】
前記のビュワー１００は、当該ビュワー１００を光が透過する向きに応じて、ビュワー１００によって遮られる円偏光が右円偏光と左円偏光とで切り替えられる。よって、このビュワー１００を用いれば、コレステリック樹脂で形成されたマーキングを利用した真正性の判定を行うことができる。
【００３１】
以下、ビュワー１００を用いた真正性の判定方法を、例を示して説明する。図３は、ある対象物２１０にコレステリック樹脂を用いてマーキング２２０を形成して得た物品２００の例を模式的に示す断面図である。この図３では、対象物２１０及びマーキング２２０において反射する光の経路を概略的に示す。なお、実際の物品では、下記に説明する以外にも、様々な光の吸収及び反射が発生しうるが、以下の説明では、作用の説明の便宜上、主な光の経路を概略的に説明する。また、図３に示す例では、可視光領域において右円偏光の一部（具体的には、選択波長領域の光）を反射させ、右円偏光の残りの一部及び左円偏光の全部を透過させるコレステリック樹脂で形成されたマーキング２２０を設けている。
【００３２】
図３に示す物品２００のマーキング２２０の上面に、右円偏光を含む光Ｌが入射した場合、右円偏光の一部はマーキング２２０で反射されて反射光ＬＲとなり、残りは透過光ＬＬとなる。ここで、反射は、マーキング２２０の表面だけでなく内部でも発生しうるが、模式的な表現として、図３では、反射はマーキング２２０の表面において発生しているものとして図示する。
【００３３】
この際、マーキング２２０を、ビュワー１００を通して観察する。観察は、通常、ビュワー１００の表裏の向きを変えて複数回行う。具体的には、観察を、下記（ｉ）の向きと下記（ｉｉ）の向きとで行う。
（ｉ）マーキング２２０からの反射光ＬＲが、第一位相差フィルム１１０、直線偏光子１２０及び第二位相差フィルム１３０の順に透過する向き。
（ｉｉ）マーキング２２０からの反射光ＬＲが、第二位相差フィルム１３０、直線偏光子１２０及び第一位相差フィルム１１０の順に透過する向き。
【００３４】
このような観察を行った場合、右円偏光としての反射光ＬＲは、前記（ｉ）及び（ｉｉ）の一方の向きでの観察ではビュワー１００を透過する。例えば、図３に示す例では、第一位相差フィルム１１０に進入した反射光ＬＲは、第一位相差フィルム１１０によって直線偏光子１２０の偏光透過軸Ａ１２０に平行な振動方向を有する直線偏光に変換され、直線偏光子１２０を透過し、更に第二位相差フィルム１３０を透過できる。
しかし、右円偏光としての反射光ＬＲは、前記（ｉ）及び（ｉｉ）の他方の向きでの観察では、ビュワー１００によって遮られる。例えば、図３に示す例では、第二位相差フィルム１３０に進入した反射光ＬＲは、第二位相差フィルム１３０によって直線偏光子１２０の偏光透過軸Ａ１２０に垂直な振動方向を有する直線偏光に変換されるので、直線偏光子１２０で遮られる。
したがって、前記の観察によれば、前記（ｉ）の向きで観察される像と（ｉｉ）の向きで観察される像とが異なる。具体的には、前記（ｉ）及び（ｉｉ）の一方の向きでの観察によれば、マーキング２２０からの反射光ＬＲによる像が見えるので、マーキング２２０を見ることができる。しかし、前記（ｉ）及び（ｉｉ）の他方の向きでの観察によれば、マーキング２２０からの反射光ＬＲによる像が見え難いので、マーキング２２０が見え難いか、見えない（この場合、通常は、対象物２１０のみが観察される）。したがって、ビュワー１００を用いて前記のような像の差が観察された場合、マーキング２２０を有する物品２００は真正なものであると判定できる。また、このような像の差が観察されない場合、その物品は、非真正なものであると判断することができる。
なお、前記の説明では、反射光ＬＲの全部を透過又は遮断可能なビュワー１００を例に示したが、真正性の判定が可能な限り、反射光ＬＲの一部を透過又は遮断可能なビュワー１００を用いて判定を行ってもよい。
【００３５】
上述したように、ビュワー１００は、表裏の向きによって、遮る円偏光を右円偏光と左円偏光とで切り替えることができる。よって、右円偏光板と左円偏光板とを別々に備えていた従来のビュワーと異なり、円偏光板１枚の面積で使用可能であるので、小型化が可能である。そして、このように小型化が可能であるので、その取り扱い性を改善することができる。
【００３６】
さらに、本実施形態では、右円偏光の遮断と左円偏光の遮断とを、従来のように別々の円偏光板で行うのではなく、共通のビュワー１００によって行っている。よって、真正でない物品を真正であるかのように見せる細工をビュワーに施すことが難しく、真正性の判定の信頼性を高めることが可能である。
【００３７】
［２．第二実施形態］
上述した第一実施形態では、直線偏光子の両側に位相差フィルム（第一位相差フィルム及び第二位相差フィルム）を１枚ずつ備えたビュワーを示して説明した。しかし、ビュワーは、直線偏光子の両側に複数枚の位相差フィルムを備えていてもよい。以下、その実施形態を示して説明する。
【００３８】
図４は、本発明の第二実施形態に係る真正性判定用ビュワー３００を模式的に示す断面図である。また、図５は、本発明の第二実施形態に係る真正性判定用ビュワー３００を分解して模式的に示す分解斜視図である。図５において、第一のλ／４フィルム３１０、第一のλ／２フィルム３２０、第二のλ／２フィルム３３０、及び、第二のλ／４フィルム３４０には、直線偏光子１２０の偏光透過軸Ａ１２０に平行な方向を一点鎖線の矢印Ａ３０、Ａ４０、Ａ５０及びＡ６０で示す。
【００３９】
図４に示すように、本発明の第二実施形態としてのビュワー３００は、１／４波長板として機能できる第一位相差フィルムとしての第一のλ／４フィルム３１０と、１／２波長板として機能できる第三位相差フィルムとしての第一のλ／２フィルム３２０と、直線偏光子１２０と、１／２波長板として機能できる第四位相差フィルムとしての第二のλ／２フィルム３３０と、１／４波長板として機能できる第二位相差フィルムとしての第二のλ／４フィルム３４０とを、厚み方向においてこの順に備える。
【００４０】
図５に示すように、第一のλ／４フィルム３１０は、直線偏光子１２０の偏光透過軸Ａ１２０に非平行な遅相軸Ａ３１０を有する位相差フィルムである。第一のλ／４フィルム３１０の面内レターデーションは、マーキングに含まれるコレステリック樹脂の選択反射帯域において第一のλ／４フィルム３１０が１／４波長板として機能できるように設定される。第一のλ／４フィルム３１０の具体的な面内レターデーションの範囲は、第一実施形態において１／４波長板として機能できる第一位相差フィルム１１０の面内レターデーションの範囲と同じ範囲に設定できる。
【００４１】
第一のλ／２フィルム３２０は、直線偏光子１２０の偏光透過軸Ａ１２０に非平行な遅相軸Ａ３２０を有する位相差フィルムである。第一のλ／２フィルム３２０の面内レターデーションは、マーキングに含まれるコレステリック樹脂の選択反射帯域において第一のλ／２フィルム３２０が１／２波長板として機能できるように設定される。第一のλ／２フィルム３２０の具体的な面内レターデーションの範囲は、測定波長５５０ｎｍにおいて、好ましくは２４０ｎｍ以上、より好ましくは２５０ｎｍ以上であり、好ましくは３００ｎｍ以下、より好ましくは２８０ｎｍ以下、特に好ましくは２６５ｎｍ以下である。
【００４２】
さらに、第一のλ／４フィルム３１０の遅相軸Ａ３１０と直線偏光子１２０の偏光透過軸Ａ１２０とがなす角度θ３０、及び、第一のλ／２フィルム３２０の遅相軸Ａ３２０と直線偏光子１２０の偏光透過軸Ａ１２０とがなす角度θ４０は、下記の要件（Ａ）又は（Ｂ）を満たす。
（Ａ）角度θ３０が１５°±１０°であり、且つ、角度θ４０が７５°±５°である。
（Ｂ）角度θ３０が７５°±１０°であり、且つ、角度θ４０が１５°±５°である。
【００４３】
要件（Ａ）を詳細に説明すると、角度θ３０は、通常１５°±１０°、好ましくは１５°±５°、より好ましくは１５°±２°である。また、角度θ４０は、通常７５°±５°、好ましくは７５°±３°、より好ましくは７５°±２°である。
また、要件（Ｂ）を詳細に説明すると、角度θ３０は、通常７５°±１０°、好ましくは７５°±５°、より好ましくは７５°±２°である。また、角度θ４０は、通常１５°±５°、好ましくは１５°±３°、より好ましくは１５°±２°である。
【００４４】
前記のような第一のλ／４フィルム３１０及び第一のλ／２フィルム３２０の組み合わせは、ビュワー３００に進入する広い波長範囲の円偏光を真正性の判定が可能な直線偏光又は楕円偏光に変換できる広帯域１／４波長板３５０として機能できる。
【００４５】
図５に示すように、第二のλ／２フィルム３３０は、直線偏光子１２０の偏光透過軸Ａ１２０に非平行な遅相軸Ａ３３０を有する位相差フィルムである。第二のλ／２フィルム３３０の面内レターデーションは、通常、第一のλ／２フィルム３２０の面内レターデーションの範囲として説明したのと同じ範囲にある。この際、第一のλ／２フィルム３２０の面内レターデーションと第二のλ／２フィルム３３０の面内レターデーションとは、異なっていてもよいが、同一であることが特に好ましい。
【００４６】
第二のλ／４フィルム３４０は、直線偏光子１２０の偏光透過軸Ａ１２０に非平行な遅相軸Ａ３４０を有する位相差フィルムである。第二のλ／４フィルム３４０の面内レターデーションは、通常、第一のλ／４フィルム３１０の面内レターデーションの範囲として説明したのと同じ範囲にある。この際、第一のλ／４フィルム３１０の面内レターデーションと第二のλ／４フィルム３４０の面内レターデーションとは、異なっていてもよいが、同一であることが特に好ましい。
【００４７】
さらに、第二のλ／２フィルム３３０の遅相軸Ａ３３０と直線偏光子１２０の偏光透過軸Ａ１２０とがなす角度θ５０は、通常、第一のλ／２フィルム３２０の遅相軸Ａ３２０と直線偏光子１２０の偏光透過軸Ａ１２０とがなす角度θ４０の範囲として説明したのと同じ範囲にある。また、第二のλ／４フィルム３４０の遅相軸Ａ３４０と直線偏光子１２０の偏光透過軸Ａ１２０とがなす角度θ６０は、第一のλ／４フィルム３１０の遅相軸Ａ３１０と直線偏光子１２０の偏光透過軸Ａ１２０とがなす角度θ３０の範囲として説明したのと同じ範囲にある。よって、第二のλ／２フィルム３３０の遅相軸Ａ３３０と直線偏光子１２０の偏光透過軸Ａ１２０とがなす角度θ５０、及び、第二のλ／４フィルム３４０の遅相軸Ａ３４０と直線偏光子１２０の偏光透過軸Ａ１２０とがなす角度θ６０は、下記の要件（Ｃ）又は（Ｄ）を満たす。
（Ｃ）角度θ５０が７５°±５°であり、且つ、角度θ６０が１５°±１０°である。
（Ｄ）角度θ５０が１５°±５°であり、且つ、角度θ６０が７５°±１０°である。
【００４８】
前記のような第二のλ／２フィルム３３０及び第二のλ／４フィルム３４０の組み合わせは、ビュワー３００に進入する広い波長範囲の円偏光を真正性の判定が可能な直線偏光又は楕円偏光に変換できる広帯域１／４波長板３６０として機能できる。
【００４９】
角度θ３０と角度θ６０とは、異なっていてもよいが、同一であることが特に好ましい。また、角度θ４０と角度θ５０とは、異なっていてもよいが、同一であることが特に好ましい。これにより、ビュワー３００の表裏の向きを変えた観察においてみられる像の差を明確にし易いので、ビュワー３００を用いた真正性の判定を容易に行うことができる。
【００５０】
さらに、第二のλ／２フィルム３３０の遅相軸Ａ３３０は、第一のλ／２フィルム３２０の遅相軸Ａ３２０と実質的に平行であることが好ましい。具体的には、第一のλ／２フィルム３２０の遅相軸Ａ３２０と第二のλ／２フィルム３３０の遅相軸Ａ３３０とがなす角度（図示せず）が、好ましくは０°±２°、より好ましくは０°±１°、特に好ましくは０°±０．５°である。これにより、ビュワー３００の表裏の向きを変えた観察においてみられる像の差を明確にし易いので、ビュワー３００を用いた真正性の判定を容易に行うことができる。
【００５１】
また、第二のλ／４フィルム３４０の遅相軸Ａ３４０は、第一のλ／４フィルム３１０の遅相軸Ａ３１０と実質的に平行であることが好ましい。具体的には、第一のλ／４フィルム３１０の遅相軸Ａ３１０と第二のλ／４フィルム３４０の遅相軸Ａ３４０とがなす角度（図示せず）が、好ましくは０°±２°、より好ましくは０°±１°、特に好ましくは０°±０．５°である。これにより、ビュワー３００の表裏の向きを変えた観察においてみられる像の差を明確にし易いので、ビュワー３００を用いた真正性の判定を容易に行うことができる。
【００５２】
前記のビュワー３００は、第一実施形態で説明したビュワー１００と同様に、当該ビュワー３００を光が透過する向きに応じて、ビュワー３００によって遮られる円偏光が右円偏光と左円偏光とで切り替えられる。よって、このビュワー３００を用いれば、第一実施形態で説明したビュワー１００と同じ方法により、コレステリック樹脂で形成されたマーキングを利用した真正性の判定を行うことができる。そして、このビュワー３００は、第一実施形態で説明したビュワー１００と同様に小型化が可能であり、更に、第一実施形態で説明したビュワー１００と同様の効果を得ることができる。
【００５３】
［その他の実施形態］
以上、本発明の実施形態について説明したが、本発明は上述した実施形態から更に変更して実施してもよい。
例えば、ビュワーには、直線偏光子及び位相差フィルム以外に任意の要素を設けてもよい。任意の要素としては、例えば、粘着剤層、接着剤層、ハードコート層等が挙げられる。さらに、例えば、ビュワーは、任意の要素として、直線偏光子及び位相差フィルムを支持するフレームを備えていてもよい。例えば、直線偏光子及び位相差フィルムの縁部にフレームを備えるビュワーは、前記フレームを把持して取り扱いできるので、直線偏光子及び位相差フィルムの傷付きを抑制できる。
【００５４】
フレームには、ビュワーに関する説明が表示されていてもよい。例えば、フレームに、ビュワーを通してマーキングがどのように見えるかの説明を表示してもよい。
具体例を挙げると、フレームの一部に、マーキングからの反射光がビュワーを透過できることを示す第一の説明（例えば、「明」等）を表示しうる。この第一の説明は、ビュワーの表裏の向きが、マーキングからの反射光がビュワーを透過できるように調整された場合に、使用者の視野に入るフレームの部分に表示しうる。また、フレームの別の一部に、マーキングからの反射光がビュワーで遮られることを示す第二の説明（例えば、「暗」等）を表示しうる。この第二の説明は、ビュワーの表裏の向きが、マーキングからの反射光がビュワーで遮られるように調整された場合に、使用者の視野に入るフレームの部分に表示しうる。このような具体例に係るフレームを用いた場合、ビュワーの使用方法を使用者が容易に理解できる。
【００５５】
さらに、例えば、ビュワーは、任意の要素として、当該ビュワーを任意の物品に取り付けるための取付具を備えていてもよい。取付具としては、例えば、紐、ピン、クリップ等が挙げられる。ビュワーへ取付具を設ける方法は、任意である。例えば、取付具は、直線偏光子、位相差フィルム又はフレームに接着して設けてもよい。また、例えば、取付具は、直線偏光子、位相差フィルム又はフレームにホッチキス止めして設けてもよい。さらに、例えば、直線偏光子、位相差フィルム又はフレームに穴を形成し、この穴に紐等の取付具を通して当該取付具を設けてもよい。このような取付具を用いれば、マーキングが形成された対象物にビュワーを取り付けることができる。よって、対象物とビュワーとを組み合わせて販売することが可能であるので、市場へのビュワーの流通を促進することができる。
【００５６】
［直線偏光子］
直線偏光子としては、例えば、ポリビニルアルコール、部分ホルマール化ポリビニルアルコール等の適切なビニルアルコール系重合体のフィルムに、ヨウ素及び二色性色素等の二色性物質による染色処理、延伸処理、架橋処理等の適切な処理を適切な順序及び方式で施したフィルムを用いうる。中でも、耐熱性を向上させる観点では、二色性色素を含む直線偏光子が好ましい。また、直線偏光子は、偏光度に優れるものが好ましい。直線偏光子の厚みは、５μｍ〜８０μｍが一般的であるが、これに限定されない。
【００５７】
［位相差フィルム］
上述した位相差フィルムとしては、例えば、延伸フィルムを用いることができる。延伸フィルムは、樹脂フィルムを延伸して得られるフィルムであり、樹脂の種類、延伸条件、厚み等の要素を適切に調整することで、任意の面内レターデーションを得ることができる。
【００５８】
樹脂としては、通常、熱可塑性樹脂を用いる。この熱可塑性樹脂は、重合体と、必要に応じて任意の成分を含みうる。重合体としては、例えば、ポリカーボネート、ポリエーテルスルホン、ポリエチレンテレフタレート、ポリイミド、ポリメチルメタクリレート、ポリスルホン、ポリアリレート、ポリエチレン、ポリフェニレンエーテル、ポリスチレン、ポリ塩化ビニル、二酢酸セルロース、三酢酸セルロース、及び脂環式構造含有重合体などが挙げられる。また、重合体は、１種類を単独で用いてもよく、２種類以上を任意の比率で組み合わせて用いてもよい。中でも、透明性、低吸湿性、寸法安定性及び加工性の観点から、脂環式構造含有重合体が好適である。脂環式構造含有重合体は、主鎖及び／又は側鎖に脂環式構造を有する重合体であり、例えば、特開２００７−０５７９７１号公報に記載のものを用いうる。
【００５９】
位相差フィルムとしての延伸フィルムは、前記の樹脂から樹脂フィルムを製造した後で、その樹脂フィルムに延伸処理を施して、製造できる。
【００６０】
樹脂フィルムの製造方法としては、例えば、キャスト成形法、インフレーション成形法、押出成形法などが挙げられ、中でも押出成形法が好ましい。
【００６１】
延伸処理は、例えば、ロール方式、フロート方式、テンター方式などの方式で行うことができる。延伸処理において、延伸方向は、延伸フィルムの遅相軸が所望の方向となるように、適切に設定することが好ましい。よって、延伸処理は、延伸フィルムに発現させたい遅相軸の方向に応じて、樹脂フィルムの幅方向への延伸（横延伸）であってもよく、長手方向への延伸（縦延伸）であってもよく、幅方向でも長手方向でもない斜め方向への延伸であってもよく、これらを組み合わせた延伸であってもよい。
【００６２】
延伸温度及び延伸倍率は、所望の面内レターデーションが得られる範囲で任意に設定しうる。具体的な範囲を挙げると、延伸温度は、好ましくはＴｇ−３０℃以上、より好ましくはＴｇ−１０℃以上であり、好ましくはＴｇ＋６０℃以下、より好ましくはＴｇ＋５０℃以下である。また、延伸倍率は、好ましくは１．１倍以上、より好ましくは１．２倍以上、特に好ましくは１．５倍以上であり、好ましくは３０倍以下、より好ましくは１０倍以下、特に好ましくは５倍以下である。ここで、Ｔｇは、樹脂のガラス転移温度を表す。
【００６３】
延伸フィルムの厚みは、特段の制限は無いが、好ましくは５μｍ以上、より好ましくは１０μｍ以上、特に好ましくは２０μｍ以上であり、好ましくは１ｍｍ以下、より好ましくは５００μｍ以下、特に好ましくは２００μｍ以下である。
【００６４】
位相差フィルムとしては、例えば、液晶硬化層を含むフィルムを用いることができる。液晶硬化層とは、液晶化合物を含む液晶組成物の硬化物で形成された層である。ここで、便宜上「液晶組成物」と称する材料は、２以上の物質の混合物のみならず、単一の物質からなる材料をも包含する。通常、液晶組成物の層を形成し、その液晶組成物の層に含まれる液晶化合物の分子を配向させた後に、液晶組成物の層を硬化させることにより、液晶硬化層が得られる。この液晶硬化層は、液晶化合物の種類、液晶化合物の配向状態、厚み等の要素を適切に調整することで、任意の面内レターデーションを得ることができる。
【００６５】
液晶化合物の種類は任意であるが、逆波長分散性を有する位相差フィルムを得たい場合には、逆波長分散性液晶化合物を用いることが好ましい。逆波長分散性液晶化合物とは、ホモジニアス配向した場合に、逆波長分散性を示す液晶化合物をいう。また、液晶化合物をホモジニアス配向させる、とは、当該液晶化合物を含む層を形成し、その層における液晶化合物の分子のメソゲンの長軸方向を、前記層の面に平行なある一の方向に配向させることをいう。逆波長分散性液晶化合物の具体例としては、例えば、国際公開第２０１４／０６９５１５号、国際公開第２０１５／０６４５８１号などに記載された化合物が挙げられる。
【００６６】
液晶硬化層の厚みは、特段の制限は無いが、好ましくは０．５μｍ以上、より好ましくは１．０μｍ以上であり、好ましくは１０μｍ以下、より好ましくは７μｍ以下、特に好ましくは５μｍ以下である。
【００６７】
［マーキング］
ビュワーによって観察されるマーキングは、コレステリック樹脂を含む。コレステリック樹脂は、前記の通り、コレステリック規則性を有する樹脂である。コレステリック規則性とは、樹脂内部のある平面上では分子軸が一定の方向に並んでいるが、それに重なる次の平面では分子軸の方向が少し角度をなしてずれ、さらに次の平面ではさらに角度がずれるというように、重なって配列している平面を順次透過して進むに従って当該平面中の分子軸の角度がずれて（ねじれて）いく構造である。即ち、ある層の内部の分子がコレステリック規則性を有する場合、分子は、層の内部のある第一の平面上では分子軸が一定の方向になるよう並ぶ。層の内部の、当該第一の平面に重なる次の第二の平面では、分子軸の方向が、第一の平面における分子軸の方向と、少し角度をなしてずれる。当該第二の平面にさらに重なる次の第三の平面では、分子軸の方向が、第二の平面における分子軸の方向から、さらに角度をなしてずれる。このように、重なって配列している平面において、当該平面中の分子軸の角度が順次ずれて（ねじれて）いく。このように分子軸の方向がねじれてゆく構造は、通常はらせん構造であり、光学的にカイラルな構造となる。このコレステリック樹脂が円偏光分離機能を有するので、マーキングは、コレステリック樹脂の選択反射帯域に応じた色の円偏光を反射できる。
【００６８】
コレステリック樹脂としては、例えば、コレステリック液晶組成物の硬化物を用いることができる。コレステリック液晶組成物とは、当該液晶組成物に含まれる液晶化合物を配向させた場合に、液晶化合物がコレステリック規則性を有した液晶相（コレステリック液晶相）を呈することができる組成物をいう。コレステリック液晶組成物を硬化させる際、通常は、液晶化合物がコレステリック液晶相を呈した状態で重合するので、コレステリック規則性を呈したまま硬化した非液晶性のコレステリック樹脂の層を得ることができる。
【００６９】
コレステリック液晶組成物の硬化物としてのコレステリック樹脂としては、例えば、特開２０１４−１７４４７１号公報、特開２０１５−２７７４３号公報などに記載のものを用いることができる。
【００７０】
マーキングの具体例としては、所望の平面形状を有するコレステリック樹脂の層を含むラベル等の識別媒体を、対象物に貼り付けて形成されたマーキングが挙げられる。
また、マーキングの別の具体例としては、コレステリック樹脂の層を含有する顔料を含む塗料により、対象物に所望の平面形状を描画して形成されたマーキングが挙げられる。
【００７１】
マーキングを形成する対象としての対象物に制限は無く、広範な物品を採用できる。対象物の例としては、衣類等の布製品；カバン、靴等の皮革製品；ネジ等の金属製品；値札等の紙製品；タイヤ等のゴム製品；が挙げられるが、対象物はこれらの例に限定されない。
【符号の説明】
【００７２】
１００  ビュワー
１１０  第一位相差フィルム
１２０  直線偏光子
１３０  第二位相差フィルム
２００  物品
２１０  対象物
２２０  マーキング
３００  ビュワー
３１０  第一のλ／４フィルム
３２０  第一のλ／２フィルム
３３０  第二のλ／２フィルム
３４０  第二のλ／４フィルム
３５０  広帯域１／４波長板
３６０  広帯域１／４波長板
【図１】
2019059067.tif 000003
【図２】
2019059067.tif 000004
【図３】
2019059067.tif 000005
【図４】
2019059067.tif 000006
【図５】
2019059067.tif 000007
【国際調査報告】
2019059067.tif 000008
2019059067.tif 000009